【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
１以上の蓄電池を制御する複数の蓄電池管理装置と、前記複数の蓄電池管理装置と通信ネットワークを介して接続された蓄電池監視サーバとを備える蓄電池監視システムにおける蓄電池監視方法であって、
各蓄電池管理装置が制御する蓄電池の状態を判断するためのパラメータを含む蓄電池情報を前記通信ネットワークを介して受信し、
前記パラメータと蓄電池の状態とが対応付けられた管理テーブルを参照して、前記受信した蓄電池情報に対応する蓄電池の状態を判断し、
前記受信した蓄電池情報に対応する蓄電池を制御する一の蓄電池管理装置に前記判断した蓄電池の状態を示す情報を報知させるための制御信号を生成し、
前記一の蓄電池管理装置に前記制御信号を送信して、当該一の蓄電池管理装置が制御する蓄電池の状態を示す情報を報知させる、
蓄電池監視方法。
【請求項２】
前記管理テーブルには、前記パラメータが所定の許容値を外れている場合に蓄電池が寿命に近づいていることを報知させるための制御内容が含まれており、
前記複数の蓄電池管理装置の中の一の蓄電池管理装置が制御する蓄電池の蓄電池情報に含まれるパラメータが前記所定の許容値を外れている場合に前記一の蓄電池管理装置に前記蓄電池が寿命に近づいている旨の寿命情報を前記蓄電池の状態を示す情報として報知させる、
請求項１に記載の蓄電池監視方法。
【請求項３】
前記蓄電池情報には、蓄電池の電圧情報および電流情報のうち少なくとも１つが含まれており、
前記受信した蓄電池情報に含まれる電圧情報および電流情報のうち少なくとも１つが前記所定の許容値を外れている場合に前記寿命情報を報知させる、
請求項２に記載の蓄電池監視方法。
【請求項４】
１以上の蓄電池を制御する複数の蓄電池管理装置と、前記複数の蓄電池管理装置と通信ネットワークを介して接続された蓄電池監視サーバとを備える蓄電池監視システムであって、
前記蓄電池監視サーバは、
各蓄電池管理装置が制御する蓄電池の状態を判断するためのパラメータを含む蓄電池情報を前記通信ネットワークを介して受信し、
前記パラメータと蓄電池の状態とが対応付けられた管理テーブルを参照して、前記受信した蓄電池情報に対応する蓄電池の状態を判断し、
前記受信した蓄電池情報に対応する蓄電池を制御する一の蓄電池管理装置に前記判断した蓄電池の状態を示す情報を報知させるための制御信号を生成し、
前記一の蓄電池管理装置に前記制御信号を送信し、
各蓄電池管理装置は、
前記制御信号を受信した場合、前記蓄電池監視サーバで判断された前記蓄電池の状態を示す情報を報知部を介して報知する、
蓄電池監視システム。
【請求項５】
請求項４に記載の蓄電池監視システムに接続される蓄電池管理装置。 
【手続補正２】
【補正対象書類名】明細書
【補正対象項目名】発明の名称
【補正方法】変更
【補正の内容】
【発明の名称】蓄電池監視方法、蓄電池監視システムおよび蓄電池管理装置
【手続補正３】
【補正対象書類名】明細書
【補正対象項目名】０００５
【補正方法】変更
【補正の内容】
【０００５】
本発明の一実施の形態に係る蓄電池監視方法は、１以上の蓄電池を制御する複数の蓄電池管理装置と、前記複数の蓄電池管理装置と通信ネットワークを介して接続された蓄電池監視サーバとを備える蓄電池監視システムにおける蓄電池監視方法であって、各蓄電池管理装置が制御する蓄電池の状態を判断するためのパラメータを含む蓄電池情報を前記通信ネットワークを介して受信し、前記パラメータと蓄電池の状態とが対応付けられた管理テーブルを参照して、前記受信した蓄電池情報に対応する蓄電池の状態を判断し、前記受信した蓄電池情報に対応する蓄電池を制御する一の蓄電池管理装置に前記判断した蓄電池の状態を示す情報を報知させるための制御信号を生成し、前記一の蓄電池管理装置に前記制御信号を送信して、当該一の蓄電池管理装置が制御する蓄電池の状態を示す情報を報知させる。
例えば、前記管理テーブルには、前記パラメータが所定の許容値を外れている場合に蓄電池が寿命に近づいていることを報知させるための制御内容が含まれており、前記複数の蓄電池管理装置の中の一の蓄電池管理装置が制御する蓄電池の蓄電池情報に含まれるパラメータが前記所定の許容値を外れている場合に前記一の蓄電池管理装置に前記蓄電池が寿命に近づいている旨の寿命情報を前記蓄電池の状態を示す情報として報知させてもよい。
また、例えば、前記蓄電池情報には、蓄電池の電圧情報および電流情報のうち少なくとも１つが含まれており、前記受信した蓄電池情報に含まれる電圧情報および電流情報のうち少なくとも１つが前記所定の許容値を外れている場合に前記寿命情報を報知させてもよい。
また、本発明の一実施の形態に係る蓄電池監視方法は、１以上の蓄電池を制御する複数の蓄電池管理装置と、前記複数の蓄電池管理装置と通信ネットワークを介して接続された蓄電池監視サーバとを備える蓄電池監視システムにおける蓄電池監視方法であって、前記通信ネットワークを介して、各蓄電池管理装置に接続された蓄電池の状態を判断するためのパラメータを含む蓄電池情報を受信し、前記パラメータと蓄電池の状態とが対応付けられた管理テーブルを参照して、前記受信した蓄電池情報に対応する蓄電池の状態を判断し、各蓄電池管理装置に対応する報知手段に、各蓄電池管理装置が管理する蓄電池の状態に関する情報を報知する蓄電池監視方法でもよい。 
【手続補正４】
【補正対象書類名】明細書
【補正対象項目名】０００６
【補正方法】変更
【補正の内容】
【０００６】
本発明の一実施の形態に係る蓄電池監視システムは、１以上の蓄電池を制御する複数の蓄電池管理装置と、前記複数の蓄電池管理装置と通信ネットワークを介して接続された蓄電池監視サーバとを備える蓄電池監視システムであって、前記蓄電池監視サーバは、各蓄電池管理装置が制御する蓄電池の状態を判断するためのパラメータを含む蓄電池情報を前記通信ネットワークを介して受信し、前記パラメータと蓄電池の状態とが対応付けられた管理テーブルを参照して、前記受信した蓄電池情報に対応する蓄電池の状態を判断し、前記受信した蓄電池情報に対応する蓄電池を制御する一の蓄電池管理装置に前記判断した蓄電池の状態を示す情報を報知させるための制御信号を生成し、前記一の蓄電池管理装置に前記制御信号を送信し、各蓄電池管理装置は、前記制御信号を受信した場合、前記蓄電池監視サーバで判断された前記蓄電池の状態を示す情報を報知部を介して報知する。
また、本発明の一実施の形態に係る蓄電池監視システムは、１以上の蓄電池を制御する複数の蓄電池管理装置と、前記複数の蓄電池管理装置と通信ネットワークを介して接続された蓄電池監視サーバとを備える蓄電池監視システムであって、前記通信ネットワークを介して、各蓄電池管理装置に接続された蓄電池の状態を判断するためのパラメータを含む蓄電池情報を受信し、前記パラメータと蓄電池の状態とが対応付けられた管理テーブルを参照して、前記受信した蓄電池情報に対応する蓄電池の状態を特定し、特定した前記蓄電池の状態を示す情報を含む信号を放置するための信号を、それぞれ対応する蓄電池管理装置に送信する。各蓄電池管理装置は、前記信号を受信することにより、各蓄電池管理装置が管理する蓄電池の状態に関する情報を報知手段に報知する蓄電池監視システムでもよい。
また、本発明の一実施の形態に係る蓄電池管理装置は、上述した蓄電池監視システムに接続される。